(57)【要約】【課題】１つのテレビ番組だけを含む１つのタイトルをメディア上で複数作成してテレビ番組Ｂ２又はＢ３の再生を容易にし、テレビ番組Ｂ２又はＢ３を視聴するための手間を省いた録画装置を提供する。【解決手段】制御部４は、タイトルＲ０を、ＥＰＧに基づいてＴＶ番組毎に分割する。詳述すると、制御部４は、テレビ番組とテレビ番組の境目でタイトルＲ０を分割する。この結果、１つのＴＶ番組のみ含む１つのタイトルが光ディスク１００に複数作成される（図３の（３））。具体的には、１つのＴＶ番組Ｂ１のみ含む１つのタイトルＲ１、１つのＴＶ番組Ｂ２のみ含む１つのタイトルＲ２、１つのＴＶ番組Ｂ３のみ含む１つのタイトルＲ３、及び１つのＴＶ番組Ｂ４のみ含む１つのＲ４が光ディスク１００に作成される。このため、ユーザは、テレビ番組Ｂ２だけを視聴したいと考えた場合、ユーザは、タイトルＲ２を選んで再生すれば済む。【選択図】  図３
2008294948.tif 000002
【特許請求の範囲】
【請求項１】
放送局から伝送されるテレビ放送信号を受信して、選択されているチャンネルで放送されるテレビ番組と、該テレビ放送信号の各チャンネルで放送される各テレビ番組の放送開始時刻、放送終了時刻および番組名を示す電子番組表と、を抽出する受信手段と、
前記選択されているチャンネルで放送されるテレビ番組の録画が指示されると、該チャンネルで放送されるテレビ番組を該録画の終了が指示されるまでメディアに録画して、録画した複数のテレビ番組を１つのタイトルにして前記メディアに保存する録画手段と、を備える録画装置において、
前記録画手段によって前記メディアに保存された前記１つのタイトルを、前記電子番組表に基づいてテレビ番組毎に分割し、１つのテレビ番組のみ含む１つのタイトルを前記メディアに複数作成する制御手段を備える録画装置。
【請求項２】
前記制御手段は、作成したタイトルに含まれるテレビ番組の番組名を、前記電子番組表から調べて、作成したタイトルのタイトル名にする請求項１に記載の録画装置。
【請求項３】
前記制御手段は、作成した複数のタイトルを前記メディア上で関連付けて１つのグループにする請求項１又は２に記載の録画装置。
【請求項４】
前記メディア上でグループ化されている前記複数のタイトルを、一纏めにして表示する表示手段を備える請求項３に記載の録画装置。
【請求項５】
前記メディアは、ハードディスク又は光ディスクである請求項１から４のいずれかに記載の録画装置。
【発明の詳細な説明】
【技術分野】
【０００１】
本発明は、地上波放送、衛星放送、ケーブル放送等によるテレビ番組を受信し、ＨＤ（ハードディスク）やＤＶＤ（ディジタルバーサタイルディスク）等のメディアに録画する録画装置に関するものである。
【背景技術】
【０００２】
近年、放送局から伝送されるテレビ番組をメディアに録画する録画装置が普及している。メディアは、例えばハードディスク、半導体メモリ、ＤＶＤなどの光ディスクである。
従来の録画装置においても、選択されているチャンネルのテレビ番組の録画を受付ける録画キーと、その録画の停止を受付ける停止キーと、を有する操作部が備えられている。
【０００３】
図６は、従来の録画装置によってテレビ番組をメディアに録画した場合に、該メディアに録画される内容を示す図である。図６の（０）は、選択されているチャンネルで放送されるテレビ番組Ｂ１〜Ｂ４を時系列で示している。このチャンネルは、時刻ｔの時にユーザが選択しているチャンネルとする。時刻ｔは、テレビ番組Ｂ１が終了間際であってテレビ番組Ｂ２が始まる前の時刻（例えばpm7:55）とする。
【０００４】
ユーザが時刻ｔで上記の録画キーを押下すると、録画装置は、録画キーが押下されたタイミングで録画を開始する。そして、所望のテレビ番組Ｂ３が終了するのを待ってユーザは停止キーを押下する。すると、録画装置は、停止キーが押下されたタイミングで録画を終了する。この結果、録画装置は、テレビ番組Ｂ１〜Ｂ４を１つのタイトルＲ０にしてメディアに保存する（図６の（１）参照）。
このようにして、ユーザは従来の録画装置においてテレビ番組Ｂ１〜Ｂ４を録画していた。そして、その録画終了後、ユーザは、タイトルＲ０を再生し、テレビ番組Ｂ１〜Ｂ４の中から所望のテレビ番組を視聴する。
一方、特許文献１では、記録再生装置が提案されている。
【特許文献１】特開２００４−２５９３１４公報
【発明の開示】
【発明が解決しようとする課題】
【０００５】
しかしながら、タイトルＲ０は複数のテレビ番組Ｂ１〜Ｂ４で１つのタイトルを形成している。そのため、テレビ番組Ｂ２又はＢ３を視聴したいと考えてタイトルＲ０を再生した場合、ユーザは、タイトルＲ０の中からテレビ番組Ｂ２又はＢ３を探さなければならなかった。
従って、従来の録画装置による録画では、再生時、ユーザが所望のテレビ番組Ｂ２又はＢ３を選択的に視聴するのが難しかった。従って、従来の録画装置による録画では、再生時、テレビ番組Ｂ２又はＢ３を視聴するための手間が非常にかかっていた。
【０００６】
本発明はこのような従来の課題を解決しようとするものであり、１つのテレビ番組だけを含む１つのタイトルをメディア上で複数作成してテレビ番組Ｂ２又はＢ３の再生を容易にし、テレビ番組Ｂ２又はＢ３を視聴するための手間を省いた録画装置を提供することを目的とする。
【課題を解決するための手段】
【０００７】
本発明の録画装置は、前記課題を解決するために以下の構成を備えている。
【０００８】
（１）放送局から伝送されるテレビ放送信号を受信して、選択されているチャンネルで放送されるテレビ番組と、該テレビ放送信号の各チャンネルで放送される各テレビ番組の放送開始時刻、放送終了時刻および番組名を示す電子番組表と、を抽出する受信手段と、
前記選択されているチャンネルで放送されるテレビ番組の録画が指示されると、該チャンネルで放送されるテレビ番組を該録画の終了が指示されるまでメディアに録画して、録画した複数のテレビ番組を１つのタイトルにして前記メディアに保存する録画手段と、を備える録画装置において、
前記録画手段によって前記メディアに保存された前記１つのタイトルを、前記電子番組表に基づいてテレビ番組毎に分割し、１つのテレビ番組のみ含む１つのタイトルを前記メディアに複数作成する制御手段を備える。
【０００９】
この構成において、メディアは、例えば半導体メモリ、ハードディスク又は光ディスクである。
この構成では、ユーザが、選択されているチャンネルで放送されるテレビ番組の録画を指示する場面を想定している。このチャンネルはユーザが選択する。また、この指示は、録画予約により予め指示しても構わない。
録画が指示されると、録画手段は、選択されているチャンネルで放送されている第１のテレビ番組の録画を開始する。そして、第１のテレビ番組の放送終了時刻がくると、録画手段は、第１のテレビ番組の次に放送される第２のテレビ番組の録画を引き続き継続する。同様に、録画手段は、第２のテレビ番組の放送終了時刻がくると、第２のテレビ番組の次に放送される第３のテレビ番組の録画を引き続き継続する。以後、録画手段は、ユーザによって録画の終了が指示されるまで、テレビ番組の録画を繰り返す。この結果、録画手段は、録画した複数のテレビ番組を１つのタイトルにしてメディアに保存する。
制御手段は、録画終了時などの所定のタイミングで、該１つのタイトルを、電子番組表に基づいてテレビ番組毎に分割する。これにより、制御手段は、１つのテレビ番組のみ含む１つのタイトルをメディアに複数作成する。具体的には、１つの第１のテレビ番組のみ含む１つの第１のタイトル、１つの第２のテレビ番組のみ含む１つの第２のタイトル、及び１つの第３のテレビ番組のみ含む１つの第３のタイトル、が光ディスク１００に作成される。
このため、ユーザは、第２のテレビ番組だけを視聴したいと考えた場合、ユーザは、第２のタイトルを選んで再生すれば済む。同様に、ユーザは、第３のテレビ番組だけを視聴したいと考えた場合、ユーザは、第３のタイトルを選んで再生すれば済む。
よって、上記録画装置による録画では、再生時、ユーザが所望のテレビ番組を選択的に視聴するのが容易になる。従って、録画装置による録画では、再生時における所望のテレビ番組を視聴するための手間を省くことができる。
なお、上記録画装置に、上記メディアを再生する再生手段を備えても構わない。
【００１０】
（２）前記制御手段は、作成したタイトルに含まれるテレビ番組の番組名を、前記電子番組表から調べて、作成したタイトルのタイトル名にする。
【００１１】
この構成では、テレビ番組の番組名をタイトル名にしているので、再生時、ユーザが所望のテレビ番組を選択し易くなる。従って、再生時、ユーザが所望のテレビ番組を選択的に視聴するのが一層容易になる。
なお、上記メディアを、ユーザが上記録画装置以外の他の装置にセットした場合でも、テレビ番組の番組名がタイトル名として表示される。
【００１２】
（３）前記制御手段は、作成した複数のタイトルを前記メディア上で関連付けて１つのグループにする。
【００１３】
この構成において、複数のタイトルをメディア上で関連付けて１つのグループにしているので、再生時、それらのタイトルが一纏めにして表示される。ユーザは、それらのタイトルが同じ時に録画されたことを把握することができる。
なお、上記メディアを、ユーザが上記録画装置以外の他の装置にセットした場合でも、一纏めにして表示される。
【００１４】
（４）上記（３）によって前記メディア上でグループ化されている前記複数のタイトルを、一纏めにして表示する表示手段を備える。
【００１５】
ユーザは、再生時、この表示を見て、所望の再生タイトルを選んで再生する。そして、上記（２）又は（３）と同様の効果を奏する。
【００１６】
（５）前記メディアは、ハードディスク又は光ディスクである。
【００１７】
この構成において、光ディスクは、例えばブルーレイディスク、ＤＶＤである。
【発明の効果】
【００１８】
この発明によれば、再生時、ユーザが所望のテレビ番組を選択的に視聴するのが容易になる。従って、再生時における所望のテレビ番組を視聴するための手間を省くことができる。
【発明を実施するための最良の形態】
【００１９】
以下、本発明の実施形態である光ディスク装置について説明する。
【００２０】
図１は、本発明の実施形態である光ディスク装置の主要な構成を示すブロック図である。光ディスク装置１は、光ディスク装置１の各部の動作を制御する制御部４と、光ディスク１００に対しデータの記録や読取を行うピックアップヘッド２（以下、PUヘッド２と称する。）と、RFアンプなどの記録再生部３と、ユーザによる入力操作を受け付ける操作部５と、情報を表示する表示部７と、データを記憶する記憶部６と、音声データをアナログの再生音声信号に変換するＤ／Ａコンバータ１１と、映像データをアナログの再生映像信号に変換する映像処理部１３と、デコードされた映像信号に基づく映像にＯＳＤ（On Screen Display）画像を重ね合わせた合成映像を生成するＯＳＤ処理部１２と、ＴＶ放送信号を受信してＡＶ（オーディオ・ビデオ）データを取得する受信部１０と、を備えている。
光ディスク装置１は、所謂ＤＶＤレコーダである。また、光ディスク１００は、記録可能な光ディスクである。光ディスク１００は、例えば、ＤＶＤ−Ｒ、ＤＶＤ＋Ｒ、ＤＶＤ−ＲＷ、ＤＶＤ＋ＲＷ、ＤＶＤ−ＲＡＭ、又はブルーレイディスクである。
【００２１】
PUヘッド２は、レーザダイオード（ＬＤ）、コリメータレンズ、ビームスプリッタ、対物レンズ、フォトディテクタ、スレッドモータ、及びアクチュエータを備えている（いずれも不図示）。
ＰＵヘッド２は、光ディスク１００の半径方向に延びる軸に移動自在に取り付けられている。スレッドモータが、ＰＵヘッド２を光ディスク１００の半径方向に移動する。
ＬＤは、レーザ光を出力する光源である。フォトディテクタは、複数の受光素子で形成されており、光ディスク１００からの反射光を検出する。
【００２２】
ここで、ＰＵヘッド２、記録再生部３および制御部４が、本発明の「録画手段」に相当する。また、表示部７およびテレビジョン１０１が、本発明の「表示手段」に相当する。
【００２３】
まず、テレビモード（放送されるテレビ番組の出力時）の動作について説明する。
受信部１０は、例えばディジタルチューナである。受信部１０は、放送局から伝送されるＴＶ放送信号を、アンテナ（不図示）を介して受信する。さらに、受信部１０は、該ＴＶ放送信号から、選択されているチャンネルで放送されるＴＶ放送信号を抽出し、復調してディジタルデータを取り出す。そして、受信部１０は、そのディジタルデータを記録再生部３に出力する。ディジタルデータは、所謂トランスポートストリームである。また、ディジタルデータには、ＭＰＥＧでエンコードされたＡＶデータと、ＥＰＧデータと、が含まれる。
【００２４】
記録再生部３は、データを一時的に格納するバッファＲＡＭ３Ａを内蔵する。記録再生部３は、受信部１０から出力されたディジタルデータから、映像データと音声データとEPGデータとを分離抽出する。そして、記録再生部３は、抽出した映像と音声等のデータをバッファＲＡＭ３Ａに一旦格納するとともに順次読み出す。さらに、記録再生部３は、制御部４の指示に基づいて、読み出した映像と音声等のデータをデコードする。最後に、記録再生部３は、制御部４の指示に基づいて、音声データをＤ／Ａコンバータ１１に、映像データをＯＳＤ処理部１２に、両データの同期を取りながら、それぞれ出力する。
【００２５】
Ｄ／Ａコンバータ１１は、伸長された音声データをアナログの再生音声信号に変換し、その再生音声信号を外部のテレビジョン１０１に出力する。
【００２６】
ＯＳＤ処理部１２は、ＯＳＤ画像を示すＯＳＤ用データを格納する画像メモリ（不図示）を内臓する。ＯＳＤ処理部１２は、制御部４から伝送される制御信号に基づいて、映像データをスルーして直接出力する場合と、映像データに基づく映像にＯＳＤ画像を重ね合わせた合成映像を生成してその合成映像データを出力する場合と、ＯＳＤ画像だけのＯＳＤ画像データを出力する場合と、で動作を切り替える。
【００２７】
映像処理部１３は、入力された映像データ、ＯＳＤ画像データまたは合成映像データをアナログの再生映像信号に変換し、外部のテレビジョン１０１に出力する。
【００２８】
Ｄ／Ａコンバータ１１及び映像処理部１３には、スピーカ内臓のテレビジョン１０１が接続されている。ユーザは、このテレビジョン１０１において、Ｄ／Ａコンバータ１１及び映像処理部１３から出力された再生映像信号に基づく映像、及び再生音声信号に基づく音声を視聴する。即ち、ユーザは、このテレビジョン１０１において、選択しているチャンネルで放送されるＴＶ番組を視聴することができる。
【００２９】
一方、記録再生部３は、分離したＥＰＧデータを制御部４に出力する。EPGデータには、各チャンネルで放送されているＴＶ番組の属性（ＴＶ番組名、ＴＶ番組の放送開始時刻および放送終了時刻等）が記述されている。制御部４は、記録再生部３から出力されたEPGデータからＥＰＧを作成して記憶部６に記録する。ここで、EPGデータは、ＥＰＧ（電子番組表）を構成するデータである。
【００３０】
次に、録画モード（テレビ番組の録画時）の動作について説明する。
記録再生部３は、上記と同じく、受信部１０から出力されたディジタルデータから、映像データと音声データとEPGデータとを分離抽出する。しかし、記録再生部３は、制御部４の指示に基づいて、分離したＡＶデータをバッファＲＡＭ３Ａに一旦格納するとともに順次読み出し、ＰＵヘッド２に出力する。
【００３１】
ＰＵヘッド２は、記録再生部３からディジタル信号が入力されると、このディジタル信号に応じて記録パワーのレーザ光を制御し、光ディスク１００の記録面に照射する。これにより、ＴＶ番組などのコンテンツが、光ディスク１００に記録される。
【００３２】
最後に、再生モード（光ディスク１００の再生時）の動作について説明する。
ＰＵヘッド２は、光ディスク１００に対して読取パワーのレーザ光を照射し、光ディスク１００からの反射光をフォトディテクタで検出する。これにより、光ディスク１００に記録されている情報を光学的に読み出す。
【００３３】
記録再生部３は、データを一時的に格納するバッファＲＡＭ３Ｂを内蔵する。記録再生部３は、ＰＵヘッド２における複数の受光素子の出力に基づいてＲＦ信号を生成し、前記ＲＦ信号を増幅する。そして、記録再生部３は、前記ＲＦ信号を処理してデータを取り出す。ここで、取り出される映像と音声等のデータは、例えばＭＰＥＧでエンコードされている。そして、記録再生部３は、制御部４の指示に基づいて、取り出した映像と音声等のデータをバッファＲＡＭ３Ｂに一旦格納するとともに順次読み出す。そして、記録再生部３は、読み出した映像と音声等のデータをデコードする。最後に、記録再生部３は、音声データをＤ／Ａコンバータ１１に、映像データをＯＳＤ処理部１２に、両データの同期を取りながら、それぞれ出力する。
【００３４】
そして、Ｄ／Ａコンバータ１１は、テレビモード時と同じく、伸長された音声データをアナログの再生音声信号に変換し、その再生音声信号を外部のテレビジョン１０１に出力する。また、映像処理部１３は、テレビモード時と同じく、入力された映像データ、ＯＳＤ画像データまたは合成映像データをアナログの再生映像信号に変換し、外部のテレビジョン１０１に出力する。
【００３５】
ユーザは、テレビモード時と同じく、テレビジョン１０１において、再生映像信号に基づく映像、及び再生音声信号に基づく音声を視聴することができる。
なお、録画モード時および再生モード時においてもＯＳＤ処理部１２は、上記テレビモードと同じ動作を行う。
【００３６】
操作部５は、ユーザが光ディスク装置１に対して各種の命令（コマンド）を入力するためのものであり、複数のキーが設けられている。光ディスク装置１に対してユーザが入力したコマンドは、操作部５から制御部４に伝送される。
上記複数のキーの中には、チャンネルの選択を受付けるチャンネル選択キーと、光ディスク１００に記録されたコンテンツ（ＴＶ番組）の再生を指示するための再生キーと、選択されているチャンネルで放送されるＴＶ番組の光ディスク１００への録画を指示するための録画キーと、その録画の停止を受付ける停止キーと、録画したタイトルＲ０を分割する分割機能（後述の図２参照）のオンとオフを切替える切替キーと、が含まれる。ユーザは、このチャンネル選択キーでチャンネルを選択して、テレビ番組（ＴＶ番組）を視聴する。
【００３７】
記憶部６は、例えばＥＥＰＲＯＭで構成されている。記憶部６は、光ディスク装置１の主制御プログラムを記憶する。
【００３８】
表示部７は、例えばLCD（Liquid Crystal Display）で構成される。表示部７は、時刻、光ディスク装置１の設定状態などを表示する。
【００３９】
制御部４は、例えばマイクロコンピュータで構成されている。さらに、制御部４は、上記主制御プログラムで処理されるデータを展開するためのワークフィールドとしてのＲＡＭ（不図示）と、現在時刻を計時するタイマー回路（不図示）と、を内臓する。制御部４は、光ディスク装置１にユーザから入力された命令に応じて光ディスク装置１の各部の動作を制御する。
【００４０】
なお、実際の光ディスク装置では、読取時や記録時に、レーザ光の照射位置を光ディスクのトラックの中心に合わせるトラッキングサーボ制御と、レーザ光の合焦位置を光ディスクの記録面に合わせるフォーカスサーボ制御と、を行っている。しかし、本発明の実施形態では図示を省略している。
【００４１】
図２は、本発明の実施形態である光ディスク装置の制御部が録画キーの押下時に行う動作を示すフローチャートである。図３は、本発明の実施形態である光ディスク装置によってテレビ番組を光ディスク１００に録画した場合に、光ディスク１００に録画される内容を示す図である。ここで、図３の（０）は、選択されているチャンネルで放送されるテレビ番組Ｂ１〜Ｂ４を時系列で示している。このチャンネルは、時刻ｔの時にユーザが選択しているチャンネルとする。時刻ｔは、テレビ番組Ｂ１が終了間際であってテレビ番組Ｂ２が始まる前の時刻（例えばpm7:55）である。そして、図２の動作は、ＴＶ番組Ｂ１を視聴中にテレビ番組Ｂ２及びＢ３を録画したいと考え、ユーザが時刻ｔで録画キーを押下する場面を想定している。
【００４２】
時刻ｔで上記の録画キーが押下されると、制御部４は、テレビモードから録画モードに切り替え、ＰＵヘッド２及び記録再生部３を制御して、選択されているチャンネルで現在放送されているＴＶ番組Ｂ１の録画を開始する（Ｓ１）。この時、制御部４は、さらに、再生モードも実行して追っかけ再生を行う。つまり、光ディスク装置１は、選択されているチャンネルで放送されるＴＶ番組を光ディスク１００に録画するとともに、光ディスク１００に録画したＴＶ番組を再生する。
【００４３】
制御部４は、ＥＰＧを参照し（Ｓ２）、選択されているチャンネルで放送される各ＴＶ番組名、各ＴＶ番組の放送開始時刻および放送終了時刻をＲＡＭ上に展開しておく。これらの情報は、ＥＰＧに含まれる情報である。
【００４４】
そして、制御部４は、停止キーにより、該録画の終了が指示されるまで待つ（Ｓ３）。ここで、録画中、制御部４は、タイマー回路で計時している現在時刻と、ＲＡＭ上に展開している各ＴＶ番組の放送開始時刻および放送終了時刻と、を比較することにより、テレビ番組とテレビ番組の境目を見つける。そして、制御部４は、テレビ番組とテレビ番組の境目のデータが保存されている光ディスク１００上のアドレスをＲＡＭに記憶しておく。又は、録画中、制御部４は、光ディスク１００に録画されるテレビ番組とテレビ番組の境目に、印（マーク）を付けておく。この境目とは、具体的には、テレビ番組Ｂ１とテレビ番組Ｂ２の境目、テレビ番組Ｂ２とテレビ番組Ｂ３の境目、およびテレビ番組Ｂ３とテレビ番組Ｂ４の境目である（図３（２）参照）。
【００４５】
停止キーが押下されると、制御部４は、録画モードから再生モード（又はテレビモード）に切り替え、ＰＵヘッド２及び記録再生部３を制御して、録画を停止する（Ｓ４）。この結果、制御部４は、テレビ番組Ｂ１〜Ｂ４を１つのタイトルＲ０にして光ディスク１００に保存する（図３の（２）参照）。
制御部４は、分割機能がオンになっているかどうかを判断する（Ｓ５）。ユーザは、切替キーで、分割機能のオンとオフを予め切替えておく。
【００４６】
分割機能がオフになっている場合、制御部４は、本処理を終了する。この場合、従来の録画装置と同様、ユーザは、タイトルＲ０を再生し、テレビ番組Ｂ１〜Ｂ４の中から所望のテレビ番組を視聴する。
【００４７】
一方、分割機能がオンになっている場合、制御部４は、複数のＴＶ番組がタイトルＲ０に含まれているかどうかを判断する（Ｓ６）。この判断は、上記Ｓ３でＲＡＭ上に記憶させた、テレビ番組とテレビ番組の境目のデータが保存されている光ディスク１００上のアドレスの個数に基づいて判断する。又は、この判断は、上記Ｓ３で光ディスク１００上に付した印の個数に基づいて判断する。
【００４８】
そして、複数のＴＶ番組がタイトルＲ０に含まれていれば、制御部４は、タイトルＲ０を、ＥＰＧに基づいてＴＶ番組毎に分割し（Ｓ７）、本処理を終了する。詳述すると、制御部４は、テレビ番組とテレビ番組の境目（上記Ｓ３参照）でタイトルＲ０を分割する。この結果、１つのＴＶ番組のみ含む１つのタイトルが光ディスク１００に複数作成される（図３の（３））。具体的には、１つのＴＶ番組Ｂ１のみ含む１つのタイトルＲ１、１つのＴＶ番組Ｂ２のみ含む１つのタイトルＲ２、１つのＴＶ番組Ｂ３のみ含む１つのタイトルＲ３、及び１つのＴＶ番組Ｂ４のみ含む１つのＲ４が光ディスク１００に作成される。
【００４９】
このため、ユーザは、テレビ番組Ｂ２だけを視聴したいと考えた場合、ユーザは、タイトルＲ２を選んで再生すれば済む。同様に、ユーザは、テレビ番組Ｂ３だけを視聴したいと考えた場合、ユーザは、タイトルＲ３を選んで再生すれば済む。よって、光ディスク装置１による録画では、再生時、ユーザが所望のテレビ番組Ｂ２又はＢ３を選択的に視聴するのが容易になる。従って、光ディスク装置１による録画では、再生時における所望のテレビ番組Ｂ２又はＢ３を視聴するための手間を省くことができる。
【００５０】
一方、Ｓ６において複数のＴＶ番組がタイトルＲ０に含まれていなければ、制御部４は、本処理を終了する。
【００５１】
また、この実施形態では、以下の変形例を採用できる。
図４は、本発明の実施形態の変形例である光ディスク装置の制御部が録画キーの押下時に行う動作を示すフローチャートである。この動作は、図２のＳ７の後にＳ８及びＳ９を追加した動作であり、その他の処理（Ｓ１〜Ｓ７）に関しては同じである。また、図５は、光ディスク１００におけるタイトルＲ１〜Ｒ４の保存方法および表示方法を示す図である。
【００５２】
Ｓ７の後、制御部４は、作成したタイトルＲ１に含まれるＴＶ番組Ｂ１の番組名を、ＥＰＧから調べて、作成したタイトルＲ１のタイトル名にする（Ｓ８）。同様に、制御部４は、作成したタイトルＲ２〜Ｒ４に含まれるＴＶ番組Ｂ２〜Ｂ４の番組名を、ＥＰＧから調べて、作成したタイトルＲ２〜Ｒ４のタイトル名にする（図５参照）。
さらに、制御部４は、作成した複数のタイトルＲ１〜Ｒ４を、光ディスク１００上においてフォルダＦに格納し（Ｓ９）、本処理を終了する。これにより、制御部４は、複数のタイトルＲ１〜Ｒ４は、光ディスク１００上で関連付けて１つのグループにしている（図５参照）。
【００５３】
そして、制御部４は、再生開始前に、光ディスク１００上でフォルダＦに格納されている複数のタイトルＲ１〜Ｒ４を、表示部７又はＴＶ１０１において一纏めにして表示する（図５参照）。ユーザは、この表示を見て、所望の再生タイトルを再生キーで選んで再生する。
【００５４】
以上より、Ｓ８においてＴＶ番組Ｂ１〜Ｂ４の番組名をタイトルＲ１〜Ｒ４のタイトル名にしているので、再生時、ユーザが所望のテレビ番組Ｂ２又はＢ３を選択し易くなる。従って、再生時、ユーザが所望のテレビ番組Ｂ２又はＢ３を選択的に視聴するのが一層容易になる。
また、Ｓ９においてタイトルＲ１〜Ｒ４を関連付けて１つのグループにしているので、ユーザは、タイトルＲ１〜Ｒ４が同じ時に録画されたことを把握することができる。
【図面の簡単な説明】
【００５５】
【図１】本発明の実施形態である光ディスク装置の主要な構成を示すブロック図
【図２】本発明の実施形態である光ディスク装置の制御部が録画キーの押下時に行う動作を示すフローチャート
【図３】本発明の実施形態である光ディスク装置によってテレビ番組を光ディスク１００に録画した場合に、光ディスク１００に録画される内容を示す図
【図４】本発明の実施形態の変形例である光ディスク装置の制御部が録画キーの押下時に行う動作を示すフローチャート
【図５】光ディスク１００におけるタイトルＲ１〜Ｒ４の保存方法および表示方法を示す図
【図６】従来の録画装置によってテレビ番組をメディアに録画した場合に、該メディアに録画される内容を示す図
【符号の説明】
【００５６】
１−光ディスク装置
２−ピックアップヘッド
３−記録再生部
４−制御部
５−操作部
６−記憶部
７−表示部
１０−受信部
１１−Ｄ／Ａコンバータ
１２−ＯＳＤ処理部
１３−映像処理部
１００−光ディスク
１０１−テレビジョン
【図１】
2008294948.tif 000003
【図２】
2008294948.tif 000004
【図３】
2008294948.tif 000005
【図４】
2008294948.tif 000006
【図５】
2008294948.tif 000007
【図６】
2008294948.tif 000008